(57)【特許請求の範囲】
【請求項１】
容器の口筒部に取着され、キャップ本体と蓋体とからなるキャップにおいて、
キャップ本体は、注出筒と容器口筒部に嵌着される係合筒部と外周筒とからなり、
係合筒部は、上壁と内筒と外筒を具え、
外周筒の下端内周と外筒の下端外周は、所定の位置に配設された連結片と、間隔をおいて複数配設された破断可能な弱化片とを介して連設され、
外周筒の外周の連結片の反対側には、外周筒に二個所の上端から切込まれたスリットにより形成される引張り部が配設されていることを特徴とするキャップ。
【請求項２】
キャップ本体の係合筒部の内筒の上方外周にねじを螺設し、
蓋体の係合筒に、前記ねじに螺合するねじを螺設したことを特徴とする請求項１記載のキャップ。
【発明の詳細な説明】
【技術分野】
【０００１】
本発明は、キャップ、とくに、廃棄時に、容器本体から簡単に分別できるようにしたキャップに関するものである。
【背景技術】
【０００２】
内容液を充填した容器本体に打栓するキャップ本体と、キャップ本体を開閉する蓋体とからなるキャップにおいて、内容液を全て使用した後に、容器とキャップ本体を分別廃棄できるキャップは、従来より知られている（例えば、特許文献１参照）。
【特許文献１】特開平１１−４９２１２号公報
【発明の開示】
【発明が解決しようとする課題】
【０００３】
上記特許文献１記載の従来のキャップでは、分別廃棄の際、キャップ本体を変形させるために、キャップ本体（蓋本体４）の外周筒（補強壁４３）の一部に弱化部（主破断ライン４３２と補助破断ライン４３３）を配設し、外周筒の一部（把持部４３４）を引張り、弱化部（主に主破断ライン４３２）を切断した後、さらに引張ることでキャップ本体を変形させている。
【０００４】
しかしながら、弱化部を切断するためにはある程度の力が必要であり、さらに、切断した後も、係合筒の外筒（垂下壁４２）の一部を変形させるために、ほぼ一周も外周筒の一部（把持部４３４）を引張り続けなくてはならず、簡単に分別廃棄できないという問題があった。
【０００５】
また、外周筒（補強壁４３）に蓋体（上蓋６）を装着するため、外周筒（補強壁４３）と外筒（垂下壁４２）との間に保形性が求められ、接続部（幅狭接続部４７）にある程度の強度が必要となり、分別廃棄の際、外周筒の一部（把持部４３４）を引張り、接続部（幅狭接続部４７）を切断するのは簡単ではないという問題があった。
【０００６】
本発明は、上記問題を解決することを課題とし、キャップ本体と容器本体を分別廃棄する際に、弱い力で簡単に分別できるようにしたキャップを提供することを目的とする。
【課題を解決するための手段】
【０００７】
本発明は、上記の課題を解決するため、キャップとして、容器の口筒部に取着され、キャップ本体と蓋体とからなるキャップにおいて、キャップ本体は、注出筒と容器口筒部に嵌着される係合筒部と外周筒とからなり、係合筒部は、上壁と内筒と外筒を具え、外周筒の下端内周と外筒の下端外周は、所定の位置に配設された連結片と、間隔をおいて複数配設された破断可能な弱化片とを介して連設され、外周筒の外周の連結片の反対側には、外周筒に二個所の上端から切込まれたスリットにより形成される引張り部が配設されていることを特徴とする構成を採用する。
【０００８】
キャップ本体と蓋体を螺着させるために、キャップ本体の係合筒部の内筒の上方外周にねじを螺設し、蓋体の係合筒に、前記ねじに螺合するねじを螺設したことを特徴とする構成を採用する。
【発明の効果】
【００１０】
容器の口筒部に取着され、キャップ本体と蓋体とからなるキャップにおいて、キャップ本体は、係合筒部と外周筒を具え、外周筒の下端内周と係合筒部の外筒の下端外周とは、所定の位置に配設された連結片と、間隔をおいて複数配設された破断可能な弱化片とを介して連設され、外周筒の外周の連結片の反対側には、引張り部が配設されており、引張り部を把持して引張ると、弱化片を切断しながら外周筒を変形させ、さらに外周筒を引張ることにより、連結片を介して係合筒部の外筒を変形させるので、容器本体の口筒部からキャップを簡単に取外し、分別廃棄することができる。
【発明を実施するための最良の形態】
【００１１】
次に、本発明のキャップについて、図面を参照して説明する。
図１において、Ａは容器に打栓されるキャップ本体、Ｂはキャップ本体Ａに装着される蓋体であり、キャップは、キャップ本体Ａに蓋体Ｂを螺着して加熱充填用の耐熱キャップとして使用される。
【００１２】
キャップ本体Ａは、図１、２に示すように、注出筒１と、注出筒１の外側に連設される係合筒部２と、係合筒部２外周に連設される外周筒３とからなっている。
【００１３】
注出筒１の内周下部には、底壁４が設けられており、底壁４には、注出口を開口するための薄肉の弱化部５により区画され、上面の所定の位置にプルリングを立設した除去部６が設けられている。
【００１４】
係合筒部２は、注出筒１の外周の所定の位置に連設された環状壁７と、環状壁７の外周縁に垂設された内筒８と、内筒８の外周の所定の位置に連設されたリング状の上壁９と、上壁９の外周縁に内周が連設された外筒１０とからなっている。
上壁９より上方の内筒８の外周には、蓋体Ｂに螺合するねじ１１が配設されている。
外筒１０の上壁９より上方の外周部には、蓋体Ｂに係合する係合部１２が形成され、外筒１０の内周下端部には、係合突条１３が設けられている。
【００１５】
打栓時に、係合筒部２は、内筒８の外周、および外筒１０内周により、容器の口筒部を挟持するとともに係合突条１３が係合し、キャップ本体Ａを容器の口筒部に装着させる。
【００１６】
外周筒３の下端内周と外筒１０の下端外周は、所定の位置に配設された連結片１４と、間隔をおいて複数配設された破断可能な弱化片１５とを介して連設されている。
外周筒３の外周の連結片１４の反対側には、二個所の上端から切込まれたスリット１６により区画された引張り部１７が形成されている。
また、図２に示すように、引張り部１７の外周に滑り止めのための突部が設けられている。
【００１７】
蓋体Ｂは、頂壁２０と、頂壁２０の周縁に垂設された外周壁２１とを具え、頂壁２０下面には、キャップ本体Ａの注出筒１の内周に挿入される密封筒２２と、内周下部に係合筒部２の内筒８の上部外周のねじ１１と螺合するねじ２３が配設された係合筒２４が垂設されている。
【００１８】
外周壁２１の内周下端は、拡径され、キャップ本体Ａの係合筒部２の係合部１２と係合し、キャップ内を密閉する係合凹部２５が設けられている。
また、図１に示すように、外周壁２１の外周に滑り止めのためのローレットが設けられている。
【００１９】
次に、本発明のキャップの作用効果について説明する。
容器には、内容液が加熱充填され、本発明のキャップが被嵌される。
その際、蓋体Ｂの係合筒２４が、キャップ本体Ａの内筒８外周に螺着され、係合筒部２の係合部１２が蓋体Ｂの係合凹部２５に係合して、キャップ冷却時に、冷却水がキャップ内に吸引されることを阻止する。
【００２０】
キャップの使用にあたっては、蓋体Ｂを開蓋し、キャップ本体Ａの除去部６を底壁４から除去して開口し、注出筒１から内容液を注出することができるとともに、蓋体Ｂを閉蓋すると、容器内を密封することができる。
【００２１】
内容液を全て使用した後、キャップ本体Ａを容器から取外して分別廃棄する際には、まず、外周筒３の引張り部１７と係合筒部２の外筒１０との間に、上方から指などを差し込む。
引張り部１７は、外周筒３にスリット１６により区画されているため、指などを差し込むと、図３に示すように、外周筒部３に対して上部が外側に変形させられる。
【００２２】
変形した引張り部１７の上部を指などで摘み、上方に持ち上げてゆくと、外周筒３の下端内周と外筒１０の下端外周を連設する弱化片１５が破断するとともに、外周筒３自体を連結片１４の支点に反対側を上方に持ち上げてゆく。
【００２３】
ある程度、外周筒３を持ち上げた後、図４に示すように、外周筒３内周の引張り部１７付近に指を掛け、引張る。
外周筒３をさらに持ち上げると、連結片１４を介して係合筒部２の外筒１０も引張られ、外筒１０の連結片１４側が変形し、係合筒部２と容器との係合を外し、キャップ本体Ａを容器から簡単に外すことができる。
【００２４】
前記実施例では、キャップ本体Ａと蓋体Ｂの開閉を、キャップ本体Ａの係合筒部２の内筒８外周上部と、蓋体Ｂの係合筒２４内周下端に、ねじ１１、２３を設けて螺着するようにしているが、例えば、キャップ本体Ａの係合筒部２外周上部、および蓋体Ｂの係合筒２４内周下端に、突部とそれに係合する凹部をいずれかに配設し、係合させて開閉するようにしてもよく、キャップ本体Ａと蓋体Ｂの開閉の構成については、上記実施例に限定されない。
【産業上の利用可能性】
【００２５】
本発明は、キャップ本体の側周の一部に設けた引張り部を引張ることによって、簡単にキャップを容器口部から取外して、分別廃棄することができるので、各種の内容液の容器の分別廃棄可能のキャップとして、広く利用することができる。
【図面の簡単な説明】
【００２６】
【図１】本発明キャップの断面側面図である。
【図２】キャップ本体の説明図で、（ａ）は上面図、（ｂ）は側面図である。
【図３】引張り部の変形時の説明図である。
【図４】外周筒を引張る時の説明図である。
【符号の説明】
【００２７】
Ａ          キャップ本体
Ｂ          蓋体
１          注出筒
２          係合筒部
３          外周筒
４          底壁
５          弱化部
６          除去部
７          環状壁
８          内筒
９          上壁
１０        外筒
１１、２３    ねじ
１２        係合部
１３        係合突条
１４        連結片
１５        弱化片
１６        スリット
１７        引張り部
２０        頂壁
２１        外周壁
２２        密封筒
２４        係合筒
２５        係合凹部
【図１】
0005101259.tif 000002
【図２】
0005101259.tif 000003
【図３】
0005101259.tif 000004
【図４】
0005101259.tif 000005